(57)【要約】【課題】空気調和機に運転情報蓄積可能なＩ／Ｏポート、メモリを設けることにより、故障診断解析、対応のスピードアップ、確実性の向上を図ること。【解決手段】空気調和機１の室内機に設けられたメモリ３に蓄積されたユーザーの運転状況情報（故障診断）をＩ／Ｏポート４、メモリカード５、エンドユーザのＰＣ（または携帯電話）６、インターネット等を介して、販売・工事業者、メーカーへＰＣ（または携帯電話）７を通じて提供されることによって、スム−スかつ確実な故障状況の解析・対応が可能となる。また、提供された情報がカスタマイズ用情報の素データとして活用可能となる。【選択図】図１
2006170583.tif 000002
【特許請求の範囲】
【請求項１】
運転情報蓄積可能なメモリを有し、蓄積された運転情報をＩ／Ｏポートを介して外部へ出力可能な空気調和機。
【請求項２】
Ｉ／Ｏポートを介して、外部より運転情報を受入れ可能なメモリを設けた空気調和機。
【請求項３】
Ｉ／Ｏポートを介して、外部より運転情報を受入れ可能なメモリを設けた請求項１に記載の空気調和機。
【請求項４】
Ｉ／Ｏポート及びメモリは、運転情報の蓄積及び入出力に共用して使用できる請求項３に記載の空気調和機。
【発明の詳細な説明】
【技術分野】
【０００１】
本発明は運転情報の蓄積・受入可能なＩ／Ｏポート・メモリを有する空気調和機に関するものである。
【背景技術】
【０００２】
従来、この種の空気調和機は運転状況情報、特に故障診断は空気調和機の室内機、またはリモコン上の液晶に記号表示されていた。（例えば、特許文献１参照）。また、カスタマイズ等を目的とした外部よりの運転情報の受入れに関しては、カードをリモコンに挿入する方式があった。（例えば、特許文献２参照）。
【特許文献１】特開平５−１５７３１３号公報
【特許文献２】特開平１−１２７８４８号公報
【発明の開示】
【発明が解決しようとする課題】
【０００３】
しかしながら、前記従来の構成では、運転状況情報はある一定の故障条件に合致した場合にその情報を記号表示するのみなので、例えば、エンドユーザーによる状況把握が十分ではなく、販売・工事業者、メーカーへの情報伝達に限界があった。また、故障診断以外の通常のエンドユーザーの運転状況情報を有効活用できるものではなかった。
【０００４】
また、カードをリモコンに挿入することにより情報を得てカスタマイズする方式は、メーカーサイドで準備された平均的運転情報であるため、真のカスタマイズという見地からは、不十分という課題を有していた。
【０００５】
本発明は、前記従来の課題を解決するもので、運転状況情報の蓄積、カスタマイズされた運転情報の受入れが可能で、よりユーザーフレンドリーな空気調和機を提供することを目的とする。
【課題を解決するための手段】
【０００６】
前記従来の課題を解決するために、本発明の空気調和機は、運転情報蓄積可能なメモリを有し、蓄積された運転情報をＩ／Ｏポートを介して外部へ出力可能としたものである。
【０００７】
これによって、エンドユーザーの詳細な運転情報を得ることができ、故障時の迅速な対応ができ、またユーザーの詳細な運転状況を利用して、よりよい空調制御が可能となる。
【０００８】
また、本発明の空気調和機は、Ｉ／Ｏポートを介して、外部より運転情報を受入れ可能なメモリを設けたものである。
【０００９】
これによって、メーカーサイドがよりカスタマイズした運転情報をきめ細かく設定できたり、ユーザー自身が好みの運転状況にきめ細かくカスタマイズすることが可能となる。
【発明の効果】
【００１０】
本発明の空気調和機は、Ｉ／Ｏポートを介して蓄積された運転情報を出力したり、最適な運転条件を入力してメモリに格納することにより、運転状況情報把握・分析、よりカスタマイズされた運転情報の提供が可能となり、サービス性・快適性を向上させることができる。
【発明を実施するための最良の形態】
【００１１】
第１の発明は、運転情報蓄積可能なメモリを有し、蓄積された運転情報をＩ／Ｏポートを介して外部へ出力可能とすることにより、エンドユーザーの運転状況、故障状況の情報が蓄積でき、メーカーへのカスタマイズ用情報の提供、販売・工事業者、メーカーへの故障状況情報の提供が可能となり、故障時の迅速な対応ができ、またユーザーの詳細な運転状況を利用して、よりよい空調制御が可能となる。
【００１２】
第２の発明は、Ｉ／Ｏポートを介して、外部より運転情報を受入れ可能なメモリを設けたことにより、メーカーサイドより提供されたカスタマイズ用運転情報を受入れることができ、空気調和機のカスタマイズ化を容易に図ることが可能となる。
【００１３】
第３の発明は、特に、第１の発明のメモリ及びＩ／Ｏポートと第２の発明のメモリ及びＩ／Ｏポートを備えることにより、エンドユーザーの運転状況、故障状況の情報が蓄積でき、メーカーへのカスタマイズ用情報の提供、販売・工事業者、メーカーへの故障状況情報の提供が可能となり、故障時の迅速な対応ができ、またユーザーの詳細な運転状況を利用して、よりよい空調制御が可能となる。また、メーカーサイドより提供されたカスタマイズ用運転情報の受入れることができ、空気調和機のカスタマイズ化を容易に図ることが可能となる。
【００１４】
第４の発明は、特に、第３の発明のメモリ及びＩ／Ｏポートを共用することにより、機能は維持しながら、コストダウンが可能となり、エンドユーザーの運転状況、故障状況の情報が蓄積でき、メーカーへのカスタマイズ用情報の提供、販売・工事業者、メーカーへの故障状況情報の提供が可能となり、故障時の迅速な対応ができ、またユーザーの詳細な運転状況を利用して、よりよい空調制御が可能となる。また、メーカーサイドより提供されたカスタマイズ用運転情報の受入れることができ、空気調和機のカスタマイズ化を容易に図ることが可能となる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機のブロック図を示すものである。
【００１７】
図１において、空気調和機の室内機１は、コントローラー２、メモリ３、Ｉ／Ｏポート４を有している。
【００１８】
まず、コントローラー２の制御による空気調和機の運転状況、即ち、モーター、ディスプレイ、圧縮機等の運転状況や故障状況の情報をメモリ３に蓄積し、その蓄積情報をＩ／Ｏポート４を介してメモリカード５に保存し、更にそのデータを外部のエンドユーザのＰＣや携帯電話６などからインターネット等を介して、販売・工事業者、メーカーのＰＣや携帯電話７へ提供される。
【００１９】
以上のように構成された空気調和機について、提供された情報によって、スム−スかつ確実な故障状況の解析・対応が可能となる。また、提供された情報がカスタマイズ用情報の素データとして活用可能となる。
【００２０】
以上のように、本実施の形態においては運転情報蓄積可能なメモリを有し、蓄積された運転情報をＩ／Ｏポートを介して外部へ出力可能とすることにより、エンドユーザーの運転状況、故障状況の情報が蓄積でき、メーカーへのカスタマイズ用情報の提供、販売・工事業者、メーカーへの故障状況情報の提供が可能となり、故障時の迅速な対応ができ、ま
たユーザーの詳細な運転状況を利用して、よりよい空調制御が可能となる。
一方、メーカーサイドよりのカスタマイズ用運転情報がインターネット等を介して、販売・工事業者、メーカーのＰＣや携帯電話７からエンドユーザのＰＣや携帯電話６へデータが配信され、メモリカード５に保存されたデータは、Ｉ／Ｏポート４を介して、メモリ３へ入力され、空気調和機のコントローラー２に受入れられ、このデータに従って空調制御がなされる。
【００２１】
以上のように構成された空気調和機について、受け入れられた情報によって、よりカスタマイズされた空調をエンドユーザーに提供可能となる。メーカーサイドからみれば、より良いサービスの提供、情報加工・カスタマイズ化のビジネスチャンスともなり得る。
【００２２】
以上のように、本実施の形態においてはＩ／Ｏポートを介して、外部より運転情報を受入れ可能なメモリを設けたことにより、メーカーサイドより提供されたカスタマイズ用運転情報の受入れることができ、空気調和機のカスタマイズ化を容易に図ることが可能となる。
【００２３】
尚、本実施の形態では、Ｉ／Ｏポート４、メモリ３は、空気調和機の室内機本体上にあるが、リモコン上にあってもよい。また、データの授受はをＩ／Ｏポート４を介してメモリカード５を通じて、外部のＰＣや携帯電話とデータの受け渡しをしているが、Ｉ／Ｏポート４を介して直接、外部のＰＣや携帯電話６とデータを受け渡ししてもよい。また、データの伝送経路はインターネット以外に、電話回線等も可能である。
【産業上の利用可能性】
【００２４】
以上のように、本発明にかかる空気調和機は、Ｉ／Ｏポート、メモリを有することで、運転情報の蓄積・受入れが可能となるので、運転状況情報の蓄積、カスタマイズされた運転情報の受入れ機能を必要とするあらゆる機器に適用可能である。
【図面の簡単な説明】
【００２５】
【図１】本発明の第１の実施の形態における空気調和機のブロック図
【符号の説明】
【００２６】
１  室内機
２  コントローラー
３  メモリ
４  Ｉ／Ｏポート
５  メモリカード
６  エンドユーザのＰＣや携帯電話
７  販売・工事業者、メーカーのＰＣや携帯電話
【図１】
2006170583.tif 000003